(57)【要約】【課題】  アンテナの取付構造において、製造コストを増加させることなくアンテナの感度を向上させる。【解決手段】  プリント配線板９はねじ２２によってロアーケース２のスタッド１０に取り付けられる。アンテナ３０の基端部には、このアンテナ３０の延在方向と直交するように回動軸３１が設けられ、回動軸３１は一端から突出した支持片３２に軸線周りを回動自在となるように支持されている。支持片３２は導電性を有する六角ナット３７を介してねじ３９によってプリント配線板９に取り付けられ、アンテナ３０とプリント配線板とは六角ナット３７を介して電気的に接続される。【選択図】  図４
2008182422.tif 000002
【特許請求の範囲】
【請求項１】
筐体に取り付けられたプリント配線板と、このプリント配線板と電気的に接続されたアンテナとを備え、前記アンテナの基端部に、アンテナと直交する方向に延在する回動軸と、この回動軸を回動自在に支持する支持片とを設け、前記支持片を介して前記アンテナを前記プリント配線板に取り付けたアンテナの取付構造において、前記支持片とプリント配線板との間に、これら支持片とプリント配線板とを電気的に接続する導電性を有するスペーサを介在させたことを特徴とするアンテナの取付構造。
【請求項２】
前記スペーサをナットとし、このナットの一端側から螺合させたねじにより前記プリント配線板を取り付け、ナットの他端側から螺合させたねじにより前記支持片を取り付けたことを特徴とする請求項１記載のアンテナの取付構造。
【発明の詳細な説明】
【技術分野】
【０００１】
本発明は、中継端末装置等の無線通信装置に備えられるアンテナの取付構造に関するものである。
【背景技術】
【０００２】
従来のアンテナの取付構造としては、アンテナの基端部にアンテナの延在方向と直交する回動軸を設け、この回動軸から突設された支持片を装置筐体に立設したスタッドにプリント配線板とともに共締めすることにより、支持片を介してアンテナとプリント配線板との間を電気的に接続させるように、アンテナを装置筐体に回動自在に支持したものがある（例えば、特許文献１参照）。
【特許文献１】特開２００４−２５４２１６号公報（段落〔００１２〕および〔００１９〕、図３）
【発明の開示】
【発明が解決しようとする課題】
【０００３】
上述した従来のアンテナの取付構造においては、直接アンテナの支持片をプリント配線板に取り付ける構造としているため、装置筐体の底板からのアンテナの高さとプリント配線板の高さとが略同じ位置に位置付けられる。一般に、プリント配線板は実装される部品の高さ方向の収納スペースを確保するために、可能な限り底板に近接した位置に取り付けるようにしていることにより、必然的にアンテナも底板に近接した位置に位置付けられてしまう。このため、装置筐体の底板を壁に掛けて使用する場合、アンテナが壁に近接することになり、特に鉄筋コンクリート等、金属が内在した壁の場合にアンテナの感度が低下するという問題があった。これを解決するために、アンテナを装置筐体の底板から離間させるように取り付けようとすると、アンテナとプリント配線板とが離れるため、これらの間を導通させるための同軸ケーブルや同軸コネクタ等が必要となり製造コストが嵩むといった問題があった。
【０００４】
本発明は上記した従来の問題に鑑みなされたものであり、その目的とするところは、製造コストを必要最小限としてアンテナの感度を向上させたアンテナの取付構造を提供するところにある。
【課題を解決するための手段】
【０００５】
この目的を達成するために、請求項１に係る発明は、筐体に取り付けられたプリント配線板と、このプリント配線板と電気的に接続されたアンテナとを備え、前記アンテナの基端部に、アンテナと直交する方向に延在する回動軸と、この回動軸を回動自在に支持する支持片とを設け、前記支持片を介して前記アンテナを前記プリント配線板に取り付けたアンテナの取付構造において、前記支持片とプリント配線板との間に、これら支持片とプリント配線板とを電気的に接続する導電性を有するスペーサを介在させたものである。
【０００６】
請求項２に係る発明は、請求項１に係る発明において、前記スペーサをナットとし、このナットの一端側から螺合させたねじにより前記プリント配線板を取り付け、ナットの他端側から螺合させたねじにより前記支持片を取り付けたものである。
【発明の効果】
【０００７】
請求項１に係る発明によれば、スペーサによって筺体が取り付けられる壁等からアンテナを離すことができることにより、アンテナの感度を向上させることができる。
【０００８】
請求項２に係る発明によれば、ナットは市販品を使用でき、かつナットをアンテナの取付けとアンテナとプリント配線板との間の電気的接続とに両用できることにより、部品点数を増加させることなく前記利点を享受できる。
【発明を実施するための最良の形態】
【０００９】
以下、本発明の実施の形態を図に基づいて説明する。図１は本発明に係るアンテナの取付構造を実施した装置の平面図、図２は同じく装置の側面図、図３は同じくアッパーケースを取り外した状態を示す平面図、図４は図１におけるIV-IV 線断面図、図５は同じくアンテナの基部を示す要部の斜視図である。
【００１０】
図４に全体を符号１で示す無線送信用子機は、一面に開口２ａを有するロアーケース２と、このロアーケース２の開口２ａを覆うアッパーケース３と、このアッパーケース３をロアーケース２に取り付けるためのブラケット４と、ロアーケース２の底部を覆うベース板５とによって装置筺体が構成されている。
【００１１】
ロアーケース２は、底部７とこの底部７の周縁から立設された囲い壁８とによって箱状に形成されている。底部７には、プリント配線板９を取り付けるためのスタッド１０と、プリント配線板９を載置する載置片１１と、後述するアンテナ３０の支持片３２を取り付けるためのスタッド１２とが一体に立設されている。囲い壁８の上端部には、全周にわたって溝１３が設けられており、囲い壁８の下端部の一部には、達磨状に形成されたフック孔１４ａを有するフック１４が底部７と同一面方向に突設されている。
【００１２】
アッパーケース３は、断面が弧状に形成された天井部１６と、この天井部１６の周縁から下方に一体に突設された囲い壁１７とによって箱状に形成されており、天井部１６の頂部にはねじ挿通孔１８が設けられている。天井部１６の裏面側の周縁には、平面視リング状に形成された突片１９が一体に突設されており、囲い壁１７の一部には下方が開口した切欠き２０が設けられている。この切欠き２０の上端の一部には、図２に示すように波形状に形成された係合部２０ａが設けられている。
【００１３】
プリント配線板９には、図４に示すように、このプリント配線板９をスタッド１０に取り付けるためのねじ２２を挿通させる挿通孔２３と、後述するスペーサとしての六角ナット３７をプリント配線板９に取り付けるためのねじ２４を挿通させる挿通孔２５とが設けられている。このプリント配線板９上には、図３に示すように電子部品２６が実装されている。
【００１４】
ブラケット４は、図４に示すように、プリント配線板９を覆うように略箱状に形成されており、端部に挿通孔２８ａを有する取付部２８が折曲形成されており、中央部にスタッド２９が一体に立設されている。
【００１５】
図１において符号３０で示すアンテナの基端部には、図５に示すように、このアンテナ３０の延在方向と直交するように回動軸３１が設けられており、この回動軸３１の一端からは扁平状に形成された支持片３２が突出し、回動軸３１は支持片３２に軸線周りを回動自在となるように支持されている。３３は回動軸３１に同心円上に一体に設けられた大径部であって、外周部には上記したアッパーケース３の係合部２０ａに係合する波形状に形成された被係合部３３ａが設けられている。支持片３２には二つの挿通孔３４，３５が設けられている。
【００１６】
図４において、３７は導電性を有する材料によって形成されたスペーサとして機能する六角ナットであって、内周部にねじ部３７ａが設けられている。
【００１７】
次に、図４を用いて、このように構成されたアンテナの取付構造において、アンテナ３０をプリント配線板９に取り付ける作業について説明する。図４に示すプリント配線板９の挿通孔２５にねじ２４を挿通させ、挿通させたねじ２４にナット３７のねじ部３７ａを螺合させることにより、ナット３７がプリント配線板９上に立設した状態で取り付けられるとともに、ナット３７の下端がプリント配線板９の端子部（図示せず）に電気的に接続される。このプリント配線板９をロアーケース２の位置決め用スタッド（図示せず）に仮止め状態で載置する。この状態で、アッパーケース３およびブラケット４はロアーケース２から取り外されロアーケース２の開口２ａは開放されている。
【００１８】
次いで、アンテナ３０の支持片３２をロアーケース２のスタッド１２と六角ナット３７上に載置し、支持片３２の挿通孔３４に挿通させたねじ３８をスタッド１２に螺合させることにより、支持片３２がスタッド１２に取り付けられる。しかる後、支持片３２の挿通孔３５に挿通させたねじ３９を六角ナット３７のねじ部３７ａに螺合させることにより、支持片３２が六角ナット３７を介してプリント配線板９に取り付けられ、六角ナット３７を介してプリント配線板９とアンテナ３０とが電気的に接続される。
【００１９】
このように、支持片３２がプリント配線板９およびスタッド１２に取り付けられたアンテナ３０は、回動軸３１が支持片３２に軸線周りを回動自在となるように支持されていることにより、指向角度を調整することが可能となる。したがって、アンテナ３０が取り付けられたロアーケース２を設置場所としての家屋の壁等にフック１４を介して取り付け、この状態でアンテナ３０の指向方向を調整する。
【００２０】
アンテナ３０の指向方向の調整が終了したら、ブラケット４の取付部２８の挿通孔２８ａに挿通させたねじ２２によって、ブラケット４をプリント配線板９とともにスタッド１０に共締めする。次いで、アッパーケース３の突片１９をロアーケース２の溝１３内に嵌合させ、アッパーケース３のねじ挿通孔１８に挿通させたねじ４０をスタッド２９に螺合させることにより、アッパーケース３がロアーケース２にブラケット４を介して取り付けられる。このとき、アッパーケース３の係合部２０ａがアンテナ３０の被係合部３３ａに係合することにより、アンテナ３０の調整された指向方向が第三者によって故意または誤って変えられるようなことがなくなる。
【００２１】
このように、アンテナ３０の支持片３２とプリント配線板９との間に六角ナット３７を介在させたことにより、ベース板５とアンテナ３０との間の間隔Ｌが従来よりも大きくなる。このため、装置筺体が取り付けられる家屋の壁等からアンテナ３０を離すことができることにより、アンテナ３０の感度を向上させることができる。また、ナット３７は市販品をそのまま使用でき、かつナット３７をアンテナ３０の取付けとアンテナ３０とプリント配線板９との間の電気的接続とに両用できることにより、コネクタ等を使用する場合と比べ部品点数を格別増加することなく構成できる。
【００２２】
なお、本実施の形態においては、アンテナ３０の支持片３２をロアーケース２のスタッド１２に取り付けるようにしたが、六角ナット３７を介してプリント配線９に取り付けるだけでも取付強度が充分な場合は、支持片３２をスタッド１２に取り付ける必要はない。
【図面の簡単な説明】
【００２３】
【図１】本発明に係るアンテナの取付構造を実施した装置の平面図である。
【図２】本発明に係るアンテナの取付構造を実施した装置の側面図である。
【図３】本発明に係るアンテナの取付構造を実施した装置においてアッパーケースを取り外した状態を示す平面図である。
【図４】図１におけるIV-IV 線断面図である。
【図５】本発明に係るアンテナの基部を示す要部の斜視図である。
【符号の説明】
【００２４】
１…無線送信用子機、２…ロアーケース、３…アッパーケース、９…プリント配線板、２４，３９…ねじ、３０…アンテナ、３１…回動軸、３２…支持片、３７…六角ナット（スペーサ）、３７ａ…ねじ部。
【図１】
2008182422.tif 000003
【図２】
2008182422.tif 000004
【図３】
2008182422.tif 000005
【図４】
2008182422.tif 000006
【図５】
2008182422.tif 000007